(57)【要約】【課題】加速や減速に対応する最適時に、可動スパッツの下降や上昇を自動的に行う車両用可動スパッツ装置とできる。【解決手段】車両の車輪前方に配置する可動スパッツと、可動スパッツに係合されたベアリングと、ベアリングを介して、可動スパッツが整流機能発揮状態となる位置と非整流機能発揮状態となる位置との間で移動可能なように、可動スパッツを支持するベアリングスライドレールとを備える車両用可動スパッツ装置とする。【選択図】図１
2009143396.tif 000002
【特許請求の範囲】
【請求項１】
車両の車輪前方に配置する可動スパッツと、
前記可動スパッツに係合されたベアリングと、
前記ベアリングを介して、前記可動スパッツが整流機能発揮状態となる位置と非整流機能発揮状態となる位置との間で移動可能なように、前記可動スパッツを支持するベアリングスライドレールと、
を備える事を特徴とする車両用可動スパッツ装置。
【請求項２】
請求項１に記載の車両用可動スパッツ装置において、
前記ベアリングスライドレールは、
前記可動スパッツを整流機能発揮状態に誘導するように前記可動スパッツを挟んで互いに平行に対抗して設けられる二本の第一ベアリングスライドレールと、前記可動スパッツを非整流機能発揮状態に誘導するように前記可動スパッツを挟んで互いに平行に対抗して設けられ、前記第一ベアリングスライドレールより車両前方に配置される二本の第二ベアリングスライドレールと、
であることを特徴とする車両用可動スパッツ装置。
【請求項３】
請求項２に記載の車両用可動スパッツ装置において、
前記第二ベアリングスライドレールは、前記第一ベアリングスライドレールよりも前記車両の加速度方向との為す角度が小さくなるように配置される、
ことを特徴とする車両用可動スパッツ装置。
【請求項４】
請求項３に記載の車両用可動スパッツ装置において、
前記第二ベアリングスライドレールは前記車両の略加速度方向に設けられ、
前記第一ベアリングスライドレールは前記第二ベアリングスライドレールと略直交する略鉛直方向に設けられる
ことを特徴とする車両用可動スパッツ装置。
【請求項５】
請求項１乃至請求項４のいずれか一項に記載の車両用可動スパッツ装置において、
前記可動スパッツは、前記車両が加速すると前記整流機能発揮状態となる位置に移動し、前記車両が減速すると収納状態となる位置に移動するように、第二ベアリングスライドレールに嵌るベアリングに前記車両の加速又は減速に基づく駆動力を与える錘部、
を備えることを特徴とする車両用可動スパッツ装置。
【請求項６】
請求項５に記載の車両用可動スパッツ装置において、
前記可動スパッツには、前記二本の第二ベアリングスライドレールのそれぞれに嵌る一対のベアリングが係合されており、
前記錘部は、前記一対のベアリング間に対応する前記可動スパッツ上に配置される
ことを特徴とする車両用可動スパッツ装置。
【発明の詳細な説明】
【技術分野】
【０００１】
本発明は、車両に搭載する車両用可動スパッツ装置に関する。
【背景技術】
【０００２】
従来、車両の走行時等にタイヤ周辺の気流を整える車両用整流装置として、例えば下記特開平５−１０５１２４に示されるような車両用スパッツが知られている。  
【０００３】
この文献で開示される車両用整流装置は、モータ駆動可能なようにモータ駆動装置と連結して設置した車両用スパッツ（整流板）を、車両の走行速度に対応させて上昇又は下降させるものである。モータ駆動が可能なように設置された車両用スパッツは、駆動用モータに係合されたギアを介して上昇又は下降する。
【０００４】
このようなモータ駆動スパッツは、車両の左右の前輪の直前等に配置され、車両やタイヤに対する揚力や空気抵抗を適宜制御する。空気抵抗等を制御することで車両の前輪周辺の空気の流れが整流される。
【０００５】
また、モータ駆動スパッツを車速に応じて下降させることで、空気整流が必要な車速時に、モータ駆動スパッツが車両のヨーイング抑制制御又はローリング抑制制御を行う。また、モータ駆動スパッツを車速に応じて上昇させることで、空気整流が必要でない車速時には、モータ駆動スパッツが車両のヨーイング抑制制御又はローリング抑制制御を行うことはなく、車両の前輪周辺に多量の空気流を送り込むことができる。
【特許文献１】特開平５−１０５１２４号公報
【特許文献２】実開昭６２−３７５８８号公報
【発明の開示】
【発明が解決しようとする課題】
【０００６】
しかし、従来知られているモータ駆動の可動スパッツにおいては、スパッツを制御するための制御装置やスパッツを駆動するための駆動モータやその電源等の装置や配線が別途に必要であった。
【０００７】
このため、装置が複雑となり、車両の小型軽量化やコストダウンを図る意味において、好ましいものとはいえなかった。
【０００８】
本発明は、上述のような問題点に鑑み為されたものであり、より小型軽量で簡易な車両用可動スパッツ装置を提供することを目的とする。
【課題を解決するための手段】
【０００９】
この発明にかかる車両用可動スパッツ装置は、車両の車輪前方に配置する可動スパッツと、可動スパッツに係合されたベアリングと、ベアリングを介して、可動スパッツが整流機能発揮状態となる位置と非整流機能発揮状態となる位置との間で移動可能なように、可動スパッツを支持するベアリングスライドレールとを備える事を特徴とする。
【００１０】
また、この発明にかかる車両用可動スパッツ装置は、好ましくはベアリングスライドレールが、可動スパッツを整流機能発揮状態に誘導するように可動スパッツ挟んで互いに平行に対抗して設けられる二本の第一ベアリングスライドレールと、可動スパッツを非整流機能発揮状態に誘導するように可動スパッツ挟んで互いに平行に対抗して設けられ、第一ベアリングスライドレールより車両前方に配置される二本の第二ベアリングスライドレールとからなることを特徴とする。
【００１１】
また、この発明にかかる車両用可動スパッツ装置は、さらに好ましくは第二ベアリングスライドレールが、第一ベアリングスライドレールよりも車両の加速度方向との為す角度が小さくなるように配置されることを特徴とする。
【００１２】
また、この発明にかかる車両用可動スパッツ装置は、さらに好ましくは第二ベアリングスライドレールが車両の略加速度方向に設けられ、第一ベアリングスライドレールは第二ベアリングスライドレールと略直交する略鉛直方向に設けられることを特徴とする。
【００１３】
また、この発明にかかる車両用可動スパッツ装置は、さらに好ましくは可動スパッツが、車両が加速すると整流機能発揮状態となる位置に移動し、車両が減速すると収納状態となる位置に移動するように、第二ベアリングスライドレールに嵌るベアリングに車両の加速又は減速に基づく駆動力を与える錘部を備えることを特徴とする。
【００１４】
また、この発明にかかる車両用可動スパッツ装置は、可動スパッツには二本の第二ベアリングスライドレールのそれぞれに嵌る一対のベアリングが係合されており、錘部は、第二ベアリングスライドレールに嵌る一対のベアリング間に対応する可動スパッツ上に配置されることを特徴とする。
【発明の効果】
【００１５】
より小型軽量で簡易な車両用可動スパッツ装置とできる。また、加速や減速に対応する最適時に、可動スパッツの展開や収納を自動的に行う車両用可動スパッツ装置とできる。
【発明を実施するための最良の形態】
【００１６】
実施形態で例示する車両用可動スパッツ装置は、略長方形の形状を有する可動スパッツの四隅に、各々係合された四つのベアリングを備える。また、この車両用可動スパッツ装置は、略加速度方向に一対のベアリングスライドレールと、加速度方向と略直交する略鉛直方向に一対のベアリングスライドレールとを備える。
【００１７】
また、可動スパッツの上方角隅の二つのベアリングは、略加速度方向の一対のベアリングスライドレールにスライド可能に嵌め込まれる。また、可動スパッツの下方角隅の二つのベアリングは、加速度方向と略直交する略鉛直方向の一対のベアリングスライドレールにスライド可能に嵌め込まれる。
【００１８】
また、変形例で示す可動スパッツは、加速度方向の一対のベアリングスライドレールに嵌め込まれるベアリング間に略棒状の錘部を備える。錘部は、車両の加速時には、慣性力により可動スパッツへ車両後ろ方向への駆動力を与える。また、錘部は、車両の減速時には、慣性力により可動スパッツへ車両前方方向への駆動力を与える。
【００１９】
可動スパッツに錘部からの駆動力が加えられることで、可動スパッツは、ベアリングが車両の加速時と減速時とでベアリングスライドレール上を、各々異なる方向に移動する。すなわち、車両の加速時には、可動スパッツは、ベアリングスライドレール上をベアリングに誘導されるように車両後方へ移動する。また、車両の減速時には、可動スパッツは、ベアリングスライドレール上をベアリングに誘導されるように車両前方へ移動する。
【００２０】
一方、可動スパッツの下端隅の二個のベアリングは、略鉛直方向に配置されたベアリングスライドレールに沿って、上述の車両の加速・減速に対応して略鉛直方向にスライドする。
【００２１】
このスライド動作により、可動スパッツは、車両の加速時には車輪の前方で風圧を受けて整流する整流機能発揮状態（展開状態）となり、車両の減速時には車輪前方で略水平方向に収納され非整流機能発揮状態（収納状態）となる。
【００２２】
すなわち、可動スパッツは、車両の加速時には整流機能発揮状態となり、タイヤやホイール周りへの風を整流するので、車両用可動スパッツ装置は、車両の直進安定性等を向上させることができる。
【００２３】
一方、可動スパッツは、車両の減速時には非整流機能発揮状態となる。従って、車両用可動スパッツ装置は、タイヤやホイール周りへの風を抑制しないので、車両の前輪やホイール周辺は多量の風により冷却される。
【００２４】
すなわち、車両の減速時には、タイヤやホイールやブレーキ周辺が多量の風により冷却されるので、ブレーキ冷却効果を大きく発揮させる事ができ、当該車両のブレーキ性能を高いレベルで発揮させることが可能となる。
【００２５】
さらに、このような車両用可動スパッツ装置においては、構造上、可動スパッツが車両の加減速に伴い自動的に整流機能発揮状態（又は展開状態）と非整流機能発揮状態（又は収納状態）との位置間を移動する。
【００２６】
従って、可動スパッツの移動を制御するための制御装置や電気的駆動装置等を必要としないので、各種検出器や駆動制御装置やその電源や配線を無くした小型軽量かつ簡易な車両用可動スパッツ装置とできる。
【００２７】
そこで、以下図面に基づき、実施形態の車両用可動スパッツ装置の構造等について詳細に説明する。
【００２８】
（第一の実施形態）
図１は、車両用可動スパッツ装置１００の構成を模式的に説明する構造概念図である。図１に示す車両用可動スパッツ装置１００において、図面左側が車両前方方向である。車両用可動スパッツ装置１００は、略長方形の可動スパッツ６の四隅それぞれにベアリング３，４を備える。
【００２９】
また、可動スパッツ６は、上片に対応する位置に略棒状の錘部５を有する。そして、錘部５の両端部には、一対のベアリング３が配置される。また、ベアリング３は、車両の略加減速方向でありかつ略水平方向に配置される一対の第二ベアリングスライドレール１に嵌めて配設される。
【００３０】
また、ベアリング３が第二ベアリングスライドレール１に沿って移動することに対応して、可動スパッツ６も錘部５に駆動力を付与されるように、ベアリング３に誘導されて移動する。
【００３１】
一方、車両用可動スパッツ装置１００は、可動スパッツ６の下両端に一対のベアリング４を備える。また、車両用可動スパッツ装置１００は、第二ベアリングスライドレール１と略直交する略鉛直方向に、一対の第一ベアリングスライドレール２を備える。
【００３２】
ベアリング４は、第一ベアリングスライドレール２に沿って移動可能なように、第一ベアリングスライドレール２に嵌めて配設される。
【００３３】
すなわち、可動スパッツの上端部に位置する一対のベアリング３が第二ベアリングスライドレール１上を略水平方向にスライドする事に対応して、可動スパッツ６の下端部に位置する一対のベアリング４が、第一ベアリングスライドレール２上を略鉛直方向にスライドする。
【００３４】
従って、一対のベアリング３が、第二ベアリングスライドレール１の図面右（車両後方側）端に位置する場合には、一対のベアリング４は第一ベアリングスライドレール２の下端部に位置する。また、一対のベアリング３が、第二ベアリングスライドレール１の図面左（車両前方側）端に位置する場合には、一対のベアリング４は第一ベアリングスライドレール２の上端部に位置する。
【００３５】
このような移動状態について、図２を用いてさらに詳述する。図２は、可動スパッツ６が非整流機能発揮状態、すなわち収納状態となる状態図を示すものである。
【００３６】
図２に示すように、車両用可動スパッツ装置１００は、可動スパッツ６を収納状態にする場合には、ホイール等に対する空気整流機能を発揮しないように、また可動スパッツ６自体が受ける空気抵抗が少なくなるように可動スパッツ６を略水平に保持する。
【００３７】
また、車両用可動スパッツ装置１００は、可動スパッツ６を特に電気駆動や電気制御することなく図２に示す収納状態とできる。また、車両用可動スパッツ装置１００は、可動スパッツ６の上辺に対応する位置に、円柱状の錘部５を有する。
【００３８】
そして、錘部５は、車両の減速時には慣性力により、見かけ上車両前方向（図面左方向）への力を受ける。図４は、錘部５が車両の減速時に受ける慣性力Ｆについて概念的に説明する図である。
【００３９】
図４に示すように、錘部５が車両前方向の慣性力Ｆを受けると、錘部５はその両端の一対のベアリング３に車両前方方向への駆動力を付与し、一対のベアリング３は第二ベアリングスライドレール１上を車両前方側に移動する。
【００４０】
一対のベアリング３の移動に対応して、可動スパッツ６もその上辺の錘部５に引っ張られるように車両前方に移動する。可動スパッツ６は、その四隅を第二ベアリングスライドレール１と第一ベアリングスライドレール２とに、各々一対のベアリング３と一対のベアリング４とを介して配置されている。
【００４１】
従って、可動スパッツ６の四隅は、第二ベアリングスライドレール１と第一ベアリングスライドレール２とに沿って移動する。
【００４２】
すなわち、車両の減速時には、図２に示すように可動スパッツ６の下両端の一対のベアリング４は、第一ベアリングスライドレール２の上端にまで移動する。図２に示す可動スパッツ６の収納状態においては、車両前方から風の流れは、実質的に可動スパッツ６により遮られることは殆どない。このため、より多くの風が不図示のタイヤやホイール周辺等に供給されることとなり、ブレーキ冷却効果を発揮できるので好ましい。
【００４３】
一方、図３は、可動スパッツ６が整流機能発揮状態となる展開状態の状態図を示すものである。図３に示すように、車両用可動スパッツ装置１００は、可動スパッツ６を整流機能発揮状態にする場合には、タイヤやホイール等に対する空気整流や風圧抑制機能を発揮するように、また可動スパッツ６自体の空気抵抗が大きくなるように可動スパッツ６を略鉛直に保持する。
【００４４】
また、車両用可動スパッツ装置１００は、可動スパッツ６を特に電気駆動や電気制御することなく図３に示す整流機能発揮状態とできる。また、上述するように車両用可動スパッツ装置１００は、可動スパッツ６のに上辺に対応する位置に錘部５を有する。
【００４５】
そして、錘部５は、車両の加速時には慣性力により、見かけ上車両後方向（図面右方向）への力を受ける。図５は、錘部５が車両の加速時に受ける慣性力Ｆ´について概念的に説明する図である。
【００４６】
図５に示すように、錘部５が車両後方向の慣性力Ｆ´を受けることで、錘部５はその両端の一対のベアリング３に車両後方向への駆動力を付与し、一対のベアリング３は、第二ベアリングスライドレール１上を車両後方に移動する。
【００４７】
これに対応して、可動スパッツ６もその上辺の錘部５に駆動されるように、一対のベアリング３に誘導されて、第二ベアリングスライドレール１に沿って車両後方に移動する。このように、可動スパッツ６は、四隅を第二ベアリングスライドレール１と第一ベアリングスライドレール２とに、各々一対のベアリング３とベアリング４とを介して配置されている。
【００４８】
従って、展開状態となる場合も可動スパッツ６の四隅は、第二ベアリングスライドレール１と第一ベアリングスライドレール２とに沿って移動する。
【００４９】
すなわち、車両の加速時には、図３に示すように可動スパッツ６の下両端の一対のベアリング４は、第一ベアリングスライドレール２の下端にまで移動する。図３に示す可動スパッツ６の整流機能発揮状態においては、車両前方から風の流れは、可動スパッツ６により遮られ、また整流される。
【００５０】
このため、可動スパッツ６により、不図示のタイヤやホイール周辺等に供給される風量や風圧を低下させる効果が期待でき、車両の直進安定性を向上させ、また車両全体の空気抵抗を低減することができるので好ましい。
【００５１】
上述するように、車両用可動スパッツ装置１００は、車両の加減速時に、加減速度に対応する大きさの慣性力が可動スパッツ６等に発生する事を利用して、可動スパッツ６を移動させることができる。
【００５２】
これにより、特別な電気的駆動制御装置等の駆動装置を用いることなく、簡単な構造により、小型軽量な車両用可動スパッツ装置とできる。
【００５３】
車両用可動スパッツ装置１００を構成する各部材は、ステンレス等を典型例として任意の材料や素材で構成することができる。また、各部材の材料密度や重量配分を適宜調整することで、車両の加速時や減速時にスムーズに所望の移動をする車両用の可動スパッツ装置とできる。
【００５４】
次に、車両に搭載する車両用可動スパッツ装置１００の変形例について図６等を用いて詳細に説明する。
【００５５】
（変形例）
図６は、第二ベアリングスライドレール１の車両前方向端部に下方傾斜溝を設ける変形例を示す図である。図６に示す変形例では、ベアリング３は、第二ベアリングスライドレール１の図面左側（車両前方側）端部まで移動すると、傾斜部６１に嵌り込む。
【００５６】
傾斜部６１に嵌り込んだベアリング３は、車両の加速時に車両後方に移動するに際し、傾斜部６１の溝を上昇し乗り越えるのに対応する力を必要とする。
【００５７】
すなわち、傾斜部６１が無い場合には、第二ベアリングスライドレール１が略水平でありベアリング摩擦力が実質的に無視できる事を勘案すると、一対のベアリング３は、車両の加速に対応して極めて容易に車両後方側に移動を開始する。
【００５８】
一方、傾斜部６１がある場合には、第二ベアリングスライドレール１が略水平でありベアリング摩擦力が実質的に無視できる程度としても、ベアリング３は車両の加速に対応して傾斜部６１を乗り超えて（駆け登って）から車両後方側に移動する必要がある。
【００５９】
換言すれば、ベアリング３は、傾斜部６１を乗り越える（駆け登る）だけの力を可動スパッツ６又は錘部５から付与されなければ、車両後方へ移動開始することができない。
【００６０】
従って、傾斜部６１の傾斜角度や傾斜長さ、傾斜深さ等を適宜調整することで、可動スパッツ６が整流機能発揮状態となる位置に移動開始するために必要な、所望の車両の加速度や加速度継続時間等を設計することが可能となる。
【００６１】
このため、例えば車両のブレーキング期間中に、車両挙動上の反動等に起因して、一対のベアリング３に車両後方方向への駆動力が一時的に付与されたとしても、ベアリング３が傾斜部６１を超えない限り、一対のベアリング３が図３に示すような整流機能発揮状態にまで移動する事はない。
【００６２】
従って、車両用可動スパッツ装置１００は、車両挙動上の反動等が生じても、また所定の値以下の車両加速度が加わっても、収納状態の位置を保持し続ける。このため、ブレーキ周辺部に十分な風量が供給され、ブレーキが空冷されることによりブレーキ性能を高く保つ事が可能となる。
【００６３】
図７及び図８は、車両用可動スパッツ装置１００を車両７００の前輪７０１前方に取り付けた例を示すものである。図７は、車両用可動スパッツ装置１００を車両に取り付けた斜視図を示すものである。また、図８は、車両用可動スパッツ装置１００を車両に取り付けた側面図を示すものである。
【００６４】
図７及び図８に示すように、車両用可動スパッツ装置１００は、好ましくは車両前輪の前方に、風圧抑制や整流効果が発揮できるように配置される。また、車両用可動スパッツ装置１００は、車両後輪の前方に、風圧抑制や整流効果が期待できるように配置してもよく、車両の四輪全ての前方に配置してもよい。なお、図７及び図８は、可動スパッツ６が車輪前方に展開されて、整流機能発揮状態となっている状態を示すものである。
【００６５】
次に、図９及び図１０を用いて、車両用可動スパッツ装置１００における可動スパッツ６の挙動と各部材構成との関係について説明する。
【００６６】
図９は、車両用可動スパッツ装置１００の側面図を模式的に説明する図である。図９に示すように、板状の可動スパッツ６の左右側片長さをａとし、第一ベアリングスライドレール２の長さをｂとする。
【００６７】
また、可動スパッツ６の整流機能発揮状態下での可動スパッツ６と第一ベアリングスライドレール２との為す角をθとすると、第二ベアリングスライドレール１の長さＬは、図９に示す関係から、以下の式（１）に基づいて設計できる。
【００６８】
Ｌ＝（ａ２−（ａｃｏｓθ−ｂ）２）１／２−ａｓｉｎθ・・・（１）
【００６９】
また、図１０は車両用可動スパッツ装置１００の側面図を模式的に説明する図であり、図１０（ａ）は減速時、図１０（ｂ）は加速時の可動スパッツ６の挙動を説明するものである。
【００７０】
ここで、図１０（ａ）に示すように、可動スパッツ６が整流機能発揮状態において、可動スパッツ６の下端側のベアリング４部分での質量をｍ１、可動スパッツ６の上端側で錘部５も含めたベアリング３部分での質量をｍ２と仮定する。
【００７１】
また、可動スパッツ６が整流機能発揮状態において、可動スパッツ６と第一ベアリングスライドレール２との間の為す角度をαとすると、可動スパッツ６が前方に動き始める時の減速度ａについて下記の関係式（２）が成り立つ。
【００７２】
ｍ１ｇｃｏｓαｓｉｎα＝ｍ２ａ・・・（２）
【００７３】
なお、ｇは重力加速度とする。また、可動スパッツ６が完全に収納状態（非整流機能発揮状態）になるために必要とされる減速度をａ´とすれば、例えばα＝π／４と仮定すると式（２）は、
【００７４】
ｍ１ｇｃｏｓ（π／４）ｓｉｎ（π／４）＝ｍ２ａ´・・・（３）
【００７５】
となるので、必要な減速度は
ａ´＝ｍ１ｇ／２ｍ２・・・（３）
と計算できる。
【００７６】
また、可動スパッツ６やベアリング３への減速度方向は、車両の前方方向である。従って、式（３）に示すように、ｍ１とｍ２とを適宜調整し、重量配分することで、可動スパッツ６が完全に収納状態になるために必要な減速度ａ´を、適宜任意の値に設計することが可能となる。
【００７７】
また、車両の加速時については図１０（ｂ）に示すように、可動スパッツ６が非整流機能発揮状態において、可動スパッツ６の下端側のベアリング４での質量をｍ１、可動スパッツ６の上端側で錘部５も含めたベアリング３での質量をｍ２と仮定する。
【００７８】
また、可動スパッツ６が非整流機能発揮状態において、可動スパッツ６と第二ベアリングスライドレール１との間の為す角度をβとし、傾斜部（又は傾斜溝）６１下端の為す角をγとすると、可動スパッツ６が動き出す時の加速度ａについて下記の関係式（４）が成り立つ。
【００７９】
ｍ２ａｃｏｓ（π／２−γ）＋ｍ１ｇｓｉｎβｃｏｓ（π／２−γ＋β）
＝ｍ２ｇｃｏｓγ・・・（４）
【００８０】
また、可動スパッツ６やベアリング３への加速度方向は、車両の後方方向である。従って、式（４）に示すように、γを適宜調整する事で、可動スパッツ６が動き出すために必要な加速度ａを設計することが可能となる。
【００８１】
なお、上述する算出式においては、各ベアリング等における摩擦力や空気抵抗等は考慮していないので、大凡の目安としての設計計算を例示するものである。もちろん、一般に摩擦力は材質や潤滑剤等によっても異なり、また空気抵抗等は車両形状等によっても異なるものであるので、これらを考慮してさらに精密な設計やシミュレーションを行ってもよい。
【００８２】
上述するように、車両用可動スパッツ装置１００は、車両のブレーキングを行う減速時には、ブレーキに十分な風が供給されてブレーキ等が冷却されるように、可動スパッツ６を収納する。
【００８３】
また、車両用可動スパッツ装置１００は、車両の加速時や加速後の走行時には、車両の前方からの風がタイヤ周辺を迂回するように整流機能を発揮する位置に可動スパッツ６を展開する。
【００８４】
これにより、車両用可動スパッツ装置１００は、可動スパッツ６を必要に応じて収納したり、展開させて整流機能を持たせたりすることができる。
【００８５】
また、車両用可動スパッツ装置１００は、一対のベアリング３と一対のベアリング４との取り付け部分が、可動スパッツ６に対して自由に回転できる。このため、可動スパッツ６の上端部と下端部とで互いにモーメントを及ぼし合うことがなく、可動スパッツ６がスムーズに移動し、傾きを変えることが可能となる。
【００８６】
また、一対のベアリング３と一対のベアリング４は、各々第二ベアリングスライドレール１と第一ベアリングスライドレール２とに沿って移動する。
【００８７】
例えば、第二ベアリングスライドレール１と第一ベアリングスライドレール２とを、各々車両の略前後方向、車両の略上下方向に配設する場合には、一対のベアリング３と一対のベアリング４及びそれらに係合される可動スパッツ６の係合部分は、各々車両の略前後・略上下方向のみの移動を許容される。これにより、可動スパッツ６は、傾きを変更するように移動する。
【００８８】
また、この場合に可動スパッツ６等は、移動方向を第一ベアリングスライドレール２等にガイドされるので、車両の横方向（車両側面方向）へ移動することはない。上述するように、第二ベアリングスライドレール１と第一ベアリングスライドレール２との配設位置や方向を適宜設計し、調整することで、可動スパッツ６の移動方向や傾き変更度合い、配置位置を適宜設計することが可能となるので、様々な車両の形状等や配置位置に対してフレキシブルに対応可能な車両用可動スパッツ装置１００とできる。
【００８９】
また、車両用可動スパッツ装置１００は、可動スパッツ６に錘部５を有する。錘部５は、車両の加速・減速の影響を受けて慣性力により、可動スパッツ６が移動するためのトリガー又は動力源となる。
【００９０】
また、車両の減速時等において可動スパッツ６が収納状態となる時に、ベアリング３又は錘部５が傾斜部（傾斜溝）６１に落ち込むことで、その後一定以上の加速度が加わらない限り、可動スパッツ６が車両後方方向へ移動開始しないように、いわゆるロック機能を発揮する。
【００９１】
また、車両用可動スパッツ装置１００は傾斜部６１を有するので、可動スパッツ６の下端側重量や風圧等の外力により、予期せぬ場合に可動スパッツ６が整流機能発揮状態に展開されることを制限し調整することができる。
【００９２】
また、上述する設計計算に例示するように、車両用可動スパッツ装置１００は、バネ等の弾性材や外力付与部材、電気的駆動制御装置その他の強制駆動制御装置を使用しなくても、可動スパッツ６の上端側と下端側の重量バランスを適宜調整することで、可動スパッツ６を収納開始する減速度を所望の値に調整し、設計できる。
【００９３】
従って、一定以上の減速度が発生するような強いブレーキ作動時、すなわちブレーキロータ等の温度が急上昇するようなブレーキ作動状況下においてのみ、可動スパッツ６を収納するように設計調整することができる。
【００９４】
これにより、強いブレーキ作動時には、ホイールハウス周辺に風を導入し、ブレーキロータの冷却性を向上させることが可能である。
【００９５】
また、傾斜部６１の溝角度や深さ、溝長さを適宜調整することで、可動スパッツ６の展開開始加速度（収納状態から整流機能発揮状態へと展開を開始する車両加速度）を設計し調整することができる。
【００９６】
これにより、わずかな加速度が生じた場合でも迅速に可動スパッツ６を展開し、整流機能を発揮させることも可能となる。従って、車両は、加速とともに速やかに可動スパッツにより直進安定性を獲得し、空気抵抗の増加を抑制することも可能となる。
【００９７】
また、実施形態で説明した車両用可動スパッツ装置１００は、第二ベアリングスライドレール１の長辺が、略水平かつ略車両の加減速度方向に配置されるものとして説明した。しかしこれに限られず、第二ベアリングスライドレール１は、可動スパッツ６を加減速方向への成分を有する方向へ誘導できるように、長辺が加減速方向成分を有するように配置すれば足りる。
【００９８】
また、実施形態で説明した車両用可動スパッツ装置１００は、第一ベアリングスライドレール２の長辺が、第二ベアリングスライドレール１と略直交する略鉛直方向に配置されるものとして説明した。
【００９９】
しかしこれに限られず、第一ベアリングスライドレール２は、可動スパッツ６が整流機能を発揮できるような所定の配置や傾斜に、可動スパッツ６を誘導できるように、長辺が鉛直方向成分を有するように配置すれば足りる。
【０１００】
また、傾斜部６１は、第二ベアリングスライドレール１の下端に一定の傾斜角度を有する構造として説明した。しかし、傾斜部６１は、ベアリング３が車両後方へ移動を開始する事に一定の制限を付与する構造であればよく、この開示例に限定されることはない。
【０１０１】
例えば傾斜部６１は、突起を形成したり、溝部や凹凸部、テーパ形状等により、ベアリング３又は錘部５の動きだしに一定の歯止めをかける構成とできる。また、可動スパッツ６は、板状に限られず円形状やその他の立体形状とすることができる。
【０１０２】
また、 実施形態に示す車両用可動スパッツ装置１００は、自明な範囲で適宜構成と動作及び部材を変更して用いることができる。
【図面の簡単な説明】
【０１０３】
【図１】車両用可動スパッツ装置の構成を模式的に説明する構造概念図である。
【図２】可動スパッツが非整流機能発揮状態となる状態を示す図である。
【図３】可動スパッツが整流機能発揮状態となる状態を示す図である。
【図４】錘部が車両の減速時に受ける力について概念的に説明する図である。
【図５】錘部が車両の加速時に受ける力について概念的に説明する図である。
【図６】ベアリングスライドレールの車両前方側端部に下方傾斜を設ける変形例を示す図である。
【図７】車両用可動スパッツを車両に取り付けた例を示す斜視図である。
【図８】車両用可動スパッツを車両に取り付けた例を示す側面図である。
【図９】車両用可動スパッツ装置の側面図を模式的に説明する図である。
【図１０】車両用可動スパッツ装置の側面図を模式的に説明する図である。
【符号の説明】
【０１０４】
１・・第二ベアリングスライドレール、２・・第一ベアリングスライドレール、３，４・・ベアリング、５・・錘部、６・・可動スパッツ、６１・・傾斜部、１００・・車両用可動スパッツ装置、７００・・車両、７０１・・前輪。
【図１】
2009143396.tif 000003
【図２】
2009143396.tif 000004
【図３】
2009143396.tif 000005
【図４】
2009143396.tif 000006
【図５】
2009143396.tif 000007
【図６】
2009143396.tif 000008
【図７】
2009143396.tif 000009
【図８】
2009143396.tif 000010
【図９】
2009143396.tif 000011
【図１０】
2009143396.tif 000012